(57)【要約】【課題】フィルターへの細塵付着量を低減し、吸引性能の劣化が少ない集塵装置を提供する。【解決手段】掃除機本体（図示せず）の吸入口（図示せず）と連通し塵埃を収納する集塵ケース８と、吸引された塵埃を捕集する上流フィルター９と、細塵を捕集する下流フィルター１０を備え、前記集塵ケース８の少なくとも一部を帯電材料で形成したもので、吸引風で発生した静電気を集塵ケース８の壁面に帯電させると共に、静電引力の作用を発して細塵を付着捕塵することが可能となる。その結果、下流フィルター１０への細塵蓄積量が減少し、目詰まりによる吸引性能の劣化も軽減できるものとなる。【選択図】図２
2011041619.tif 000002
【特許請求の範囲】
【請求項１】
掃除機本体の吸入口と連通し塵埃を収納する集塵ケースと、吸引された塵埃を捕集するフィルターを備え、前記集塵ケースの少なくとも一部を帯電材料で形成した集塵装置。
【請求項２】
集塵ケースを、帯電防止材料で形成した外部壁面部品と、帯電材料で形成した内部壁面部品とで二層に構成した請求項１に記載の集塵装置。
【請求項３】
内部壁面部品を、外部壁面部品より着脱自在とした請求項２に記載の集塵装置。
【請求項４】
集塵ケースの下方のみを帯電材料で形成した請求項１〜３のいずれか１項に記載の集塵装置。
【請求項５】
内部壁面部品の少なくとも内面を、凹凸部を有する非平面形状に形成した請求項２〜４のいずれか１項に記載の集塵装置。
【請求項６】
帯電材料で形成された部分の色を黒色とした請求項１〜５のいずれか１項に記載の集塵装置。
【請求項７】
請求項１〜６のいずれか１項に記載された集塵装置を備えた電気掃除機。
【発明の詳細な説明】
【技術分野】
【０００１】
本発明は、電気掃除機などに使用される集塵装置及びそれを搭載した電気掃除機に関するものである。
【背景技術】
【０００２】
従来の電気掃除機の集塵方法として、使い捨ての紙パックを利用するものと、再利用可能な集塵装置を利用するものがあるが、近年、経済的な集塵装置を利用した電気掃除機が増えている。簡単な構造の集塵装置として、ゴミを収納する集塵ケースに、塵埃を捕集するフィルターが回動自在に取着されて集塵ケースの蓋となるようにしたものが主流になっている（例えば、特許文献１参照）。
【先行技術文献】
【特許文献】
【０００３】
【特許文献１】特開２００８−２２９３２号公報
【発明の概要】
【発明が解決しようとする課題】
【０００４】
しかしながら、前記従来の集塵装置の構成では、集塵ケース内に捕集された塵埃は吸引下流に設けたフィルターに蓄積する傾向にある。特に、粒子径が小さく、自重が軽く浮遊する細塵は、前記フィルターへの目詰まり（通風性能の劣化）を起こす原因であり、電気掃除機における吸込み性能の早期劣化に作用するもので、特に近年この様な集塵装置を搭載する電気掃除機においては、使用者によるフィルター付着細塵の除去メンテナンスを訴求する傾向にあり、吸込み性能を含め使用負担の増大が課題となっている。
【０００５】
本発明は、前記従来の課題を解決するもので、フィルターへの細塵付着量を低減し、吸引性能の劣化が少ない集塵装置及び電気掃除機を提供することを目的とする。
【課題を解決するための手段】
【０００６】
前記従来の課題を解決するために、本発明の集塵装置は、掃除機本体の吸入口と連通し塵埃を収納する集塵ケースと、吸引された塵埃を捕集するフィルターを備え、前記集塵ケースの少なくとも一部を帯電材料で形成したもので、吸引風で発生した静電気を集塵ケース壁面に帯電させると共に、静電引力の作用を発して細塵を付着捕塵することが可能となる。その結果、フィルターへの細塵蓄積量は減少し目詰まりによる吸引性能の劣化も軽減できるものとなる。
【０００７】
又本発明の電気掃除機は、請求項１〜６のいずれか１項に記載された集塵装置を備えたもので、フィルターの目詰まりが少なく、吸引性能の劣化も少ない。
【発明の効果】
【０００８】
本発明の集塵装置及び電気掃除機は、フィルターへの細塵蓄積量は減少し目詰まりによる吸引性能の劣化を軽減することが出来る。
【図面の簡単な説明】
【０００９】
【図１】本発明の実施の形態１における集塵装置を搭載した電気掃除機の全体斜視図
【図２】（ａ）同集塵装置の斜視図（係止部ロックの状態）、（ｂ）同集塵装置の斜視図（係止部解除の状態）、（ｃ）同集塵装置の斜視図（集塵ケース内を示す）、（ｄ）同集塵装置の斜視図（内部壁面部品を取り外した状態を示す）
【図３】（ａ）同集塵装置の斜視図（上流フィルターと下流フィルターを外した状態）、（ｂ）同集塵装置の操作部品の構成を示す断面図、（ｃ）同集塵装置の要部断面図
【図４】同集塵装置の中央断面図（係止部ロックの状態）
【図５】同集塵装置の後方斜視図（係止部ロックの状態）
【発明を実施するための形態】
【００１０】
第１の発明は、掃除機本体の吸入口と連通し塵埃を収納する集塵ケースと、吸引された塵埃を捕集するフィルターを備え、前記集塵ケースの少なくとも一部を帯電材料で形成したもので、吸引風で発生した静電気を集塵ケース壁面に帯電させると共に、静電引力の作用を発して細塵を付着捕塵することが可能となる。その結果、フィルターへの細塵蓄積量は減少し目詰まりによる吸引性能の劣化も軽減できるものとなる。
【００１１】
第２の発明は、特に、第１の発明の集塵ケースを、帯電防止材料で形成した外部壁面部品と、帯電材料で形成した内部壁面部品とで二層に構成したもので、集塵ケースの外郭面では帯電作用を排除するものとなり、集塵装置の外部（部屋内空間）に浮遊した塵埃による汚れを防止することが可能となる。
【００１２】
第３の発明は、特に、第２の発明の内部壁面部品を、外部壁面部品より着脱自在としたもので、静電引力により細塵を付着捕塵させた単体部品での取り外しが可能となることから、細塵を除去する際、水洗いなどの多様な対応が実現できる。
【００１３】
第４の発明は、特に、第１〜３のいずれか一つの発明の集塵ケースの下方のみを帯電材料で形成したもので、集塵ケースを透明材料で形成し、内部の蓄積塵埃が見れるようにした場合、上方での細塵の付着が抑制されるので、内部の視認性を確保しつつ上記効果が達成できるものとなる。
【００１４】
第５の発明は、特に、第２〜４のいずれか一つの発明の内部壁面部品の少なくとも内面を、凹凸部を有する非平面形状に形成したもので、帯電部分の面積拡大が図れ、捕塵性能が向上する。
【００１５】
第６の発明は、特に、第１〜５のいずれか一つの発明の帯電材料で形成された部分の色を黒色としたもので、付着した細塵の視認性を高め、清掃時の使用性を向上させることができる。
【００１６】
第７の発明に係る電気掃除機は、請求項１〜６のいずれか１項に記載された集塵装置を備えたもので、フィルターの目詰まりが少なく、吸引性能の劣化も少ない。
【００１７】
以下、本発明の実施の形態について、図面を参照しながら説明する。なお、この実施の形態によってこの発明が限定されるものではない。
【００１８】
（実施の形態１）
図１は、本発明の実施の形態１における集塵装置を搭載した電気掃除機の全体斜視図、図２（ａ）は、同集塵装置の斜視図（係止部ロックの状態）、（ｂ）は、同集塵装置の斜視図（係止部解除の状態）、（ｃ）は、同集塵装置の斜視図（集塵ケース内を示す）、（ｄ）は、同集塵装置の斜視図（内部壁面部品を取り外した状態を示す）、図３（ａ）は、同集塵装置の斜視図（上流フィルターと下流フィルターを外した状態）、（ｂ）は、同集塵装置の操作部品の構成を示す断面図、（ｃ）は、同集塵装置の要部断面図、図４は、同集塵装置の中央断面図（係止部ロックの状態）、図５は、同集塵装置の後方斜視図（係止部ロックの状態）である。
【００１９】
図１において、本実施の形態における集塵装置を搭載した電気掃除機は、掃除機本体１と、掃除機本体１の前方に設けた吸入口１ａに接続されるホース２と、ホース２の先端に設けられた接続パイプ３と、接続パイプ３に接続される延長管４と、延長管４の先端に設けられ塵埃を吸引する開口部（図示せず）を有する吸込具５からなり、掃除機本体１には、塵埃を吸引するための電動送風機６と、塵埃を集塵する集塵装置７が内蔵されている。
【００２０】
図２において、本実施の形態における集塵装置７は、構成部品を大きく分けると、透明材料で内部を可視できる外部壁面部品８ｅと、帯電材料からなる黒色の内部壁面部品８ｆで二層化した外郭を構成する集塵ケース８と、集塵ケース８の後部を塞ぐように設けられた上流フィルター９と、さらに、その後方を塞ぐように設けられた下流フィルター１０から構成されている。
【００２１】
特に、前記内部壁面部品８ｆは、集塵ケース８の下方のみを二層構造にする構成とし、外部壁面部品８ｅに着脱可能に嵌まり合う形状にしている。上流フィルター９及び下流フィルター１０は、集塵ケース８の上方に設けられた２箇所のヒンジ固定部８ａに開閉（回動）可能に取り付けられている。
【００２２】
また、図３に示すとおり、下流フィルター１０を保持する係止部１１は、集塵ケース８の両側の側面部下方に配置され、下流フィルター１０の下方両側に設けた被係止部１０ａと嵌合することによって集塵ケース８に保持される。係止部１１の解除操作を行うＵ字型形状の操作部品１２は、吸引風の流路となると共に吸引された塵埃を集める集塵部８ｂ及び上流フィルター９と下流フィルター１０の外側に構成され、操作部品１２のアーム部１２ａ及び係止部１１は、集塵ケース８の両サイドに設けられ二重壁８ｃにより隔離された構成となっている。
【００２３】
集塵ケース８の上方中央部には、集塵装置７の取り出し／持ち運び用のもち手８ｄを設け、その近傍に、係止部１１の解除操作を行う操作部１２ｂを配置する構成となっている。
【００２４】
図４ならびに図５に示すように、上流フィルター９は、枠体９ａと、その枠体９ａと一体的に成形されたネットフィルター９ｂとから構成され、粗い塵埃を捕集する為に用いられるものである。枠体９ａの、集塵ケース８と下流フィルター１０側の両方に全周に渡ってシール手段であるシールパッキン９ｃが設けられ、上流フィルター９及び下流フィルター１０を閉じたとき、集塵ケース８及び下流フィルター１０のそれぞれと密封されるようになっている。
【００２５】
集塵ケース８及び下流フィルター１０のそれぞれと全周シールする箇所は集塵ケース８内に設けられており、側面部は、集塵ケース８の二重壁８ｃの内側に配置されている。そして、前記の通り、集塵ケース８の両側の側面部下方に配置された係止部１１と下流フィルター１０の下方両側に設けた被係止部１０ａを嵌合させることによって、集塵装置７を密閉する構成となっている。
【００２６】
下流フィルター１０は、上流フィルター９を通過した細かい塵埃を捕集する細塵用フィルターであり、プリーツ加工（断面形状を波状に加工すること）されており、プリーツ加工された波状の山と谷の折り目の方向はフィルター全体で上下方向に揃えてある。下流フィルター１０の後側には、ジョジンレバー１３が、ホルダー１４と下流フィルター１０とで挟まれるように保持されており、手動もしくは外部の動力源によりジョジンレバー１３は左右に動くことができ、ジョジンレバー１３が左右に動くと、下流フィルター１０のレール部１０ｂがはじかれ、下流フィルター１０に付着した細塵を落とす構成となっている。また下流フィルター１０の後側には、シール手段であるシールパッキン１０ｃが設けら
れ、集塵装置７が掃除機本体１に収納されたとき、電気掃除機内で集塵装置７を密閉する構成となっている。
【００２７】
以上のように構成された本実施の形態における電気掃除機の動作、作用について以下に説明する。
【００２８】
図２に示すように、集塵ケース８の外郭を、透明材料で内部を可視できる外部壁面部品８ｅと、帯電材料からなり黒色の内部壁面部品８ｆで二層化とした構成により、吸引風で発生した静電気を前記内部壁面部品８ｆに帯電させると共に、静電引力の作用を発して細塵を付着捕塵することが可能となる。その結果、下流フィルター１０への細塵蓄積量は減少し目詰まりによる吸引性能の劣化も軽減できるものとなる。
【００２９】
また、外部壁面部品８ｅを帯電防止材料で形成することにより、集塵ケース８の外郭部表面では帯電作用を排除するとものとなり、掃除空間内（室内空間）に浮遊した塵埃の付着を防止し外観の汚れを防止することができる。また、内部壁面部品８ｆを着脱自在に取り付ける構成としたことにより、細塵の除去処理時に水洗いなどの多様な対応が可能となる。
【００３０】
また、内部壁面部品８ｆを、集塵ケース８の下方のみに構成させたことにより、上方の透明な外部壁面部品８ｅを通して、内部に蓄積した塵埃の視認が確保できるものとなる。また、内部壁面部品８ｆを黒色に構成したことにより、付着した細塵の視認性を高め、清掃時の使用性を向上させることができる。
【００３１】
また、特に図示しないが、内部壁面部品８ｆの内面を、凹凸部を有する非平面形状に形成すれば、帯電部の面積拡大が図れ、捕塵性能を向上させることもできる。
【産業上の利用可能性】
【００３２】
以上のように、本発明に係る集塵装置は、フィルターへの細塵付着量を低減し、吸引性能の劣化を減少させるもので、家庭用、業務用の各種電気掃除機に適用できる。
【符号の説明】
【００３３】
１  掃除機本体
２  ホース
３  接続パイプ
４  延長管
５  吸込具
６  電動送風機
７  集塵装置
８  集塵ケース
８ａ  ヒンジ固定部
８ｂ  集塵部
８ｃ  ２重壁
８ｄ  もち手
８ｅ  外部壁面部品
８ｆ  内部壁面部品
９  上流フィルター（フィルター）
９ａ  枠体
９ｂ  ネットフィルター
９ｃ、１０ｃ  シールパッキン
１０  下流フィルター（フィルター）
１０ａ  被係止部
１０ｂ  レール部
１１  係止部
１２  操作部品
１２ａ  アーム部
１２ｂ  操作部
１３  ジョジンレバー
１４  ホルダー
【図１】
2011041619.tif 000003
【図２】
2011041619.tif 000004
【図３】
2011041619.tif 000005
【図４】
2011041619.tif 000006
【図５】
2011041619.tif 000007